(57)【要約】      （修正有）【課題】プラスチックハウジングの中に押し込む時、プラスチック部材との結合強度及びプラスチック部材に対する位置精度を確保できるナット構造を提供する。【解決手段】ナット構造は、主体部１１と、主体部の外周に形成されたローレット１３と、主体部の一端に設けられた位置決め部１５と、を含み、ローレットは、主体部の外周面に螺旋状を呈するように設けられている。【選択図】図１
0003193398.tif 000002
【実用新案登録請求の範囲】
【請求項１】
主体部と、前記主体部の外周に形成されたローレットと、前記主体部の一端に設けられた位置決め部と、を含むナット構造であって、
前記ローレットは、前記主体部の外周面に螺旋を呈するように設けられていることを特徴とするナット構造。
【請求項２】
前記ローレットは、互いに間隔をあけて斜めに配列された複数のヘリカル及び互いに間隔をあけて斜めに配列された複数のスロットを含み、
前記複数のヘリカル及び前記複数のスロットは、それぞれ前記主体部の中心軸に対して所定の角度に傾斜していることを特徴とする請求項１に記載のナット構造。
【請求項３】
前記主体部は中空の円柱体であり、前記主体部の中央部には、当該主体部の中心軸に沿って当該主体部を貫通するリベット孔が設けられていることを特徴とする請求項１または２に記載のナット構造。
【請求項４】
前記位置決め部は、円板及び前記円板に形成されたカウンターボアを備え、前記円板は、前記主体部の一端において前記円板の中心軸が前記主体部の中心軸と重なるように設けられ、且つ前記主体部と「Ｔ」字状の構造を形成することを特徴とする請求項１から３のいずれか一項に記載のナット構造。
【請求項５】
前記カウンターボアは、六角形であるか又は十字状であり、前記円板の前記主体部から離れる表面の中央部に凹設されていることを特徴とする請求項４に記載のナット構造。
【請求項６】
前記カウンターボアは、１つの円錐状部及び４つの直線状のスロットにより構成され、前記４つの直線状のスロットは、前記円錐状部を中心として前記円板の前記主体部から離れる表面の半径方向に沿って、前記表面に間隔をあけて設けられていることを特徴とする請求項４に記載のナット構造。
【請求項７】
前記位置決め部は、円板及び前記円板の円周面に互いに平行となるように形成された平面部を備えることを特徴とする請求項４に記載のナット構造。
【考案の詳細な説明】
【技術分野】
【０００１】
本考案は、ナット構造、特にネジと組み合わせる套管に関するものである。
【背景技術】
【０００２】
従来の電子製品のプラスチックのハウジング同士は、一般的にはフック又は螺子を介して互いに連結される。特に、螺子の連接強度は高く、且つ構造も簡単であるため、幅広く用いられている。しかし、プラスチックのハウジングに螺子をリベット締めする時、ネジ山が前記ハウジングを損傷させ易い。従って、前記ハウジングの内部に予め金属製のナット構造を埋設して、ネジを前記ナット構造の内部にリベット締めする必要がある。
【０００３】
従来の技術において、ナット構造は、ホットメルトの方法によってプラスチックハウジング内に押し込まれる。しかし、ナット構造の外周のスプライン構造は、プラスチックハウジングに対して一定の押圧力を与えるため、前記プラスチックハウジングが損傷し易いか又は前記プラスチックハウジングとの結合が不安定である。その上、ネジを着脱した場合、ネジを引っ張る時の外力により、前記ナット構造とプラスチックハウジングとの結合強度を弱める。
【考案の概要】
【考案が解決しようとする課題】
【０００４】
上記の問題点に鑑みて、本考案は、ハウジングとの結合強度を確保することができるナット構造を提供することを目的とする。
【課題を解決するための手段】
【０００５】
上記の課題を解決するために、本考案に係るナット構造は、主体部と、前記主体部の外周に形成されたローレットと、前記主体部の一端に設けられた位置決め部と、を含み、前記ローレットは、前記主体部の外周面に螺旋状を呈するように設けられている。
【考案の効果】
【０００６】
従来の技術と異なり、本考案のナット構造は、位置決め部及び主体部に設けられた螺旋状のローレットを含む。これにより、本考案のナット構造をプラスチックハウジングの中に押し込む時、当該ナット構造とプラスチック部材との結合強度及びプラスチック部材に対する位置精度を効果的に確保することができる。
【図面の簡単な説明】
【０００７】
【図１】本考案の第一実施形態に係るナット構造を示す図である。
【図２】図１に示したナット構造を別の視点から見た図である。
【図３】図１に示したナット構造がプラスチック部材の中に埋め込まれた状態を示す図である。
【図４】図３に示したナット構造のＩＶ−ＩＶ線に沿った断面図である。
【図５】本考案の第二実施形態に係るナット構造を示す図である。
【図６】本考案の第三実施形態に係るナット構造を示す図である。
【考案を実施するための形態】
【０００８】
図１に示すように、本考案の第一実施形態に係るナット構造は、溶融状態のハウジングに埋設される套管である。ネジを用いてプラスチックハウジングを組み立てる時には、先ず前記ナット構造を前記プラスチックハウジングの内部に埋め込み、前記ナット構造に対応してネジを螺着する。本実施形態において、ナット構造１０は、主体部１１、ローレット１３、位置決め部１５及びリベット孔１７を含む。主体部１１は中空の円柱体であり、外周面１１１を備える。
【０００９】
図２を併せて参照すると、ローレット１３は、主体部１１の外周面１１１に螺旋を呈するように設けられており、且つ複数のヘリカル１３１及び複数のスロット１３３を含む。この複数のヘリカル１３１及び複数のスロット１３３は、それぞれ互いに間隔をあけて配列し且つ斜めに設けられている。また、複数のヘリカル１３１及び複数のスロット１３３は、それぞれ主体部１１の中心軸に対して所定の角度に傾斜している。
【００１０】
本実施形態において、位置決め部１５は、円板１５０及び円板１５０の中央部に形成された六角形のカウンターボア１５２を含む。円板１５０は、主体部１１の一端に固定され、且つ主体部１１と同軸線上に設けられている（即ち、円板１５０の中心軸と主体部１１の中心軸とは重なっている）。円板１５０の直径は、主体部１１の直径より大きい。これにより、円板１５０は主体部１１とともに、断面が「Ｔ」字状を呈する構造を形成する。円板１５０の主体部１１から離れる面を上面１５１とする。リベット孔１７は、主体部１１を貫通してカウンターボア１５２と連通し、且つ主体部１１の中心軸に沿って主体部１１の中央部に形成されている。カウンターボア１５２のサイズは、リベット孔１７のサイズより大きい。カウンターボア１５２の中心点は、リベット孔１７の中心軸上に位置している。
【００１１】
図３及び図４に示すように、ナット構造１０を、貫通孔５１を有するプラスチック部材５０内に埋め込む時、外部工具を位置決め部１５のカウンターボア１５２内に固定して、主体部１１を回転させながら貫通孔５１内に押し込む。この時、螺旋状のローレット１３は、貫通孔５１の内壁と協働し、位置決め部１５は、貫通孔５１の一端のプラスチック部材５０に係止される。これにより、ネジを介して所定素子（図示せず）をプラスチック部材５０に取り付ける時、位置決め部１５は前記素子とプラスチック部材５０との間に挟持され、前記素子は位置決め部１５に押圧力を与える。リベット孔１７内に装着されたネジのナット構造１０に対する引張力は、前記素子の前記位置決め部１５に対する押圧力に相殺される。これにより、ネジが外へ引っ張られても、ナット構造１０の主体部１１を牽引して、ローレット１３とプラスチック部材５０との嵌合力（緊密度）が弱められることなく、ナット構造１０とプラスチック部材５０との結合強度を確保することができる。
【００１２】
主体部１１が貫通孔５１内に押し込まれる時、ローレット１３が螺旋を呈するように主体部１１に設けられ、ヘリカル１３１もローレット１３に斜めに形成されているため、主体部１１は、回転して貫通孔５１内に入る。この時、主体部１１は、ローレット１３によって、運動方向に沿うプラスチック部材５０に対する作用力が弱められる。これにより、ナット構造１０はプラスチック部材５０内に入り易くなる。ナット構造１０が、貫通孔５１を有する溶融状態のプラスチック部材５０に入ると、溶融状態のプラスチック部材５０は、主体部１１のスロット１３３内に入り、プラスチック部材５０における貫通孔５１に隣接する材料が貫通孔５１の底部に堆積することを防止する。これと同時に、ナット構造１０をプラスチック部材５０内に埋め込む場合、位置決め部１５の六角形のカウンターボア１５２を操作して、軸方向の位置決めを行なうことを介して、ナット構造１０とプラスチック部材５０との組立精度を確保することができる。
【００１３】
図５に示すように、本考案の第二実施形態に係るナット構造２０の位置決め部２５は、円板２５０及び円板２５０の円周面に互いに平行となるように形成された平面部２５３を備える。つまり、位置決め部２５は、２つの円弧状の側面及び２つの直線状の側面を有する板体である。円板２５０は、主体部１１の一端において主体部１１と同軸上に設けられ（即ち、円板２５０の中心軸と主体部１１の中心軸とは重なっている）、且つ主体部１１と「Ｔ」字状の構造を形成する。円板２５０の主体部１１から離れる面を上面２５１とする。位置決め部２５における円板２５０の中央部には、円錐状のカウンターボア２５２が形成されている。リベット孔１７は、主体部１１の長軸方向に沿って主体部１１の中央部に設けられ、且つ円錐状のカウンターボア２５２と連通している。
【００１４】
図６に示すように、本考案の第三実施形態に係るナット構造３０の位置決め部３５は円板状であり、円板３５０及び円板３５０に形成されているカウンターボア３５２を備える。円板３５０は、主体部１１の一端において主体部１１と同軸上に設けられ（即ち、円板３５０の中心軸と主体部１１の中心軸とは重なっている）、且つ主体部１１と「Ｔ」字状の構造を形成する。円板３５０の主体部１１から離れる面を上面３５１とする。カウンターボア３５２は上面３５１に形成され、且つ「十」字状を呈する。カウンターボア３５２は、円錐状部３５２１及び４つの直線状のスロット３５２２により構成される。具体的には、円錐状部３５２１は、上面３５１の中央部に形成された凹部であり、４つのスロット３５２２は、円錐状部３５２１を中心として上面３５１の半径方向に沿って、上面３５１上に間隔をあけて設けられている。各スロット３５２２の一端は円錐状部３５２１と連通し、各スロット３５２２の他端は位置決め部３５の外周面を貫通している。
【００１５】
上記の実施形態から分かるように、本考案のナット構造１０には、位置決め部３５及びヘリカル１３１を有するローレット１３が設けられている。ローレット１３は、螺旋を呈するようにナット構造１０の主体部１１に形成されている。ナット構造１０がプラスチック部材５０の内部に押し込まれた際、主体部１１は回転しながらプラスチック部材５０内に入り、主体部１１は、ローレット１３によって、運動方向に沿うプラスチック部材５０に対する作用力が弱められる。これにより、ナット構造１０はプラスチック部材５０内に入り易くなる。また、ナット構造の位置決め部には、カウンターボアが形成されているため、ナット構造１０がプラスチック部材５０内に埋め込まれる過程において位置ずれは起こらず、ナット構造１０とプラスチック部材５０との組立精度を高めることができる。
【符号の説明】
【００１６】
１０、２０、３０  ナット構造
１１  主体部
１１１  外周面
１３  ローレット
１３１  ヘリカル
１５、２５、３５  位置決め部
５０  プラスチック部材
１５０、２５０、３５０  円板
１５１、２５１、３５１  上面
１５２、２５２、３５２  カウンターボア
２５３  平面部
３５２１  円錐状部
１３３、３５２２  スロット
１７  リベット孔
【図１】
0003193398.tif 000003
【図２】
0003193398.tif 000004
【図３】
0003193398.tif 000005
【図４】
0003193398.tif 000006
【図５】
0003193398.tif 000007
【図６】
0003193398.tif 000008